(57)【要約】【課題】揚げ物や惣菜が発する熱や蒸気を確実に発散させることができるとともに、昆虫やゴミの浸入をも防ぎ、しかも容器本体に対する蓋体の嵌合もしっかりと行うことのできる包装用容器を提供すること。【解決手段】フランジ１１自体に上下方向にうねる縦波１１ａを形成するとともに、フランジ１１の外端面に内外方向にうねる横波１１ｂを形成し、かつ、蓋体の外端縁を直線状にしたこと。【選択図】図３
2005041520.tif 000002
【特許請求の範囲】
【請求項１】
容器本体と、この容器本体のフランジに外嵌合される蓋体とからなる包装用容器であって、
前記フランジ自体に上下方向にうねる縦波を形成するとともに、前記フランジの外端面に内外方向にうねる横波を形成し、
かつ、前記蓋体の外端縁を直線状にしたことを特徴とする包装用容器。
【請求項２】
前記容器本体側のフランジに外嵌合される前記蓋体の嵌合フランジに、前記容器本体側の縦波または横波と略重なる縦波または横波のいずれか少なくとも一方を形成したことを特徴とする請求項１に記載の包装用容器。
【請求項３】
前記蓋体の内側であって、前記容器本体側の横波の外端頂点となる部分に、突起を形成したことを特徴とする請求項１または請求項２に記載の包装用容器。
【請求項４】
前記包装用容器の平面視全体を略四角形状にするとともに、前記容器本体側のフランジのいずれか少なくとも１つについて、その中央部を外側に膨出させたことを特徴とする請求項１〜請求項３のいずれかに記載の包装用容器。
【発明の詳細な説明】
【０００１】
【発明の属する技術分野】
本発明は、合成樹脂シートから形成されて、揚げ物や惣菜等の食品を収納する包装用容器に関し、特に、容器本体とこれに外嵌合される蓋体とからなる包装用容器に関するものである。
【０００２】
【従来の技術】
食品を収納するための、容器本体とこれに外嵌合される蓋体とからなる包装用容器は、衛生的で安価に提供することができることから、近年では種々なものが提案されている。また、食品としては、「揚げたての揚げ物」や「作りたての惣菜」が好まれるようになってきている。
【０００３】
このような蒸気が立ち上っているような食品を収納する包装用容器は、これを合成樹脂シートによって形成した場合、食品が発する熱や蒸気を如何に発散させるかは、容器自体を保護する上でも重要な要望である。何故なら、作り立ての食品が発する水蒸気が容器内で結露し、これが食品に付けば、食品は「ベタベタ」の状態となって食品価値を低下させるし、また食品が持っている熱が容器内に籠もってしまうと、その熱によって容器が変形することがあり、十分な包装ができなくなることもあるからである。
【０００４】
そこで、特許文献１にて提案されているような「包装容器」が開発されたのであるが、この「包装容器」は、「蓋体に曇りや水滴の付着を効果的に防止することのできる包装容器を提供すること」を目的としてなされたものである。そして、この特許文献１の包装容器は、図７にも示すように、「蓋体１の周辺部１１を容器本体２のコーナ部２２ａに嵌合させると、この蓋体の周辺部１１の内面と容器部２の側板２２の凹部２２ｂとの間に吸気口２３が形成され、この吸気口２３は包装容器の内部に連通するようになる」ものである。
【０００５】
【特許文献１】特許第２９８１１５３号掲載公報、図２、段落０００９、段落００１１
【０００６】
【発明が解決しようとする課題】
この特許文献１の包装容器は、上記構成によって、「蓋体に曇りや水滴の付着を効果的に防止することのできる」ものとなったと思われるが、図７の矢印に示されているように、「湿度が低く温度が相対的に低い外部の新鮮な空気は、この対流の流れにより吸気口２３から容器内へ引き込まれ」るから、この空気の流れとともに、外部の小さな昆虫やゴミまでも浸入してくると考えられる。
【０００７】
換言すれば、この特許文献１に記載された包装容器では、図７に示したように、外気を導入するための「吸気口２３」が各辺に沿って長く存在しているため、容器内に昆虫やゴミが浸入する措置を十分与えていると考えられるのである。それだけでなく、「吸気口２３」が各辺に沿って長く存在していると、容器本体に対する蓋体の嵌合が十分でなくなり、包装という機能を十分に発揮することができないとも考えられる。
【０００８】
そこで、本発明者等は、この種の包装用容器について、上記問題を解決するにはどうしたらよいか、について種々検討を重ねてきた結果、本発明を完成したのである。
【０００９】
すなわち、本発明の目的とするところは、揚げ物や惣菜が発する熱や蒸気を確実に発散させることができるとともに、昆虫やゴミの浸入をも防ぎ、しかも容器本体に対する蓋体の嵌合もしっかりと行うことのできる包装用容器を提供することにある。
【００１０】
【課題を解決するための手段】
以上の課題を解決するために、まず、請求項１に係る発明の採った手段は、後述する実施の形態の説明中において使用する符号を付して説明すると、「容器本体１０と、この容器本体１０のフランジ１１に外嵌合される蓋体２０とからなる包装用容器であって、
フランジ１１自体に上下方向にうねる縦波１１ａを形成するとともに、フランジ１１の外端面に内外方向にうねる横波１１ｂを形成し、
かつ、蓋体２０の外端縁を直線状にしたことを特徴とする包装用容器」である。
【００１１】
すなわち、この請求項１に係る包装用容器においては、容器本体１０のフランジ１１に、図３、図５及び図６に示すように、上下方向に波打つ縦波１１ａを形成するとともに、図１及び図２に示すように、平面的にみて当該容器本体１０の内外に向けて波打つ横波１１ｂを形成したものである。そして、この包装用容器では、蓋体２０の外端縁を直線状にすることによって、図２に示すような横波１１ｂが容器本体１０に形成してあるにも拘わらず、全体としてみたときには、図１に示すように、概略箱状のものとなるようにしたものである。
【００１２】
以上のように構成したから、この包装用容器においては、容器本体１０に蓋体２０を嵌合させたとき、図１中の点線、及び図５の（ｂ）に示すように、横波１１ｂの「谷」に該当する部分と蓋体２０の嵌合フランジ２１との間に、空気の流通を行う通気路２４を形成しながら、縦波１１ａの「山」と蓋体２０の嵌合フランジ２１との間を狭くしているのである。一方、これとは異なる部分においては、図６の（ｂ）に示すように、横波１１ｂの「山」に該当する部分と蓋体２０の嵌合フランジ２１との間に通気路２４は形成されてはいないのであり、縦波１１ａの「谷」と蓋体２０の嵌合フランジ２１との間は広くなっていて、他の部分で形成された通気路２４が連なってきているのである。以上の状態は、図１に示すように交互に繰り返しながら、容器本体１０のフランジ１１において連続しているのである。
【００１３】
換言すれば、この包装用容器においては、その容器本体１０のフランジ１１に該当する部分に、横波１１ｂによって通気路２４があるところとないところが共存していて、この通気路２４は別の位置の縦波１１ａによって容器本体１０内に連通しているのであり、複雑な通気路２４を形成しているのである。つまり、この通気路２４は、外気を導入したり食品からの蒸気を外部に排出したりすると同時に、ショウジョウバエのような小さな昆虫にとって内部へ入ることのできない「複雑な迷路」となっているのであり、昆虫やゴミの浸入を防止しているのである。
【００１４】
より具体的には、この包装用容器においては、縦波１１ａによって形成されている通気路２４が狭くなっているのに対して、横波１１ｂによって形成されている通気路２４が広くなっているのであり、各通気路２４は、容器本体１０のフランジ１１に形成した縦波１１ａ及び横波１１ｂによって「複雑な迷路」となっているのである。
【００１５】
以上の通気路２４については、図３の（ａ）〜（ｃ）に示すように、縦波１１ａに対する蓋体２０の嵌合フランジ２１、あるいはこれに形成される縦波２１ａの形状を変えることにより種々変形させることができる。図３の（ａ）に示した例は、容器本体１０のフランジ１１に形成した縦波１１ａと、蓋体２０の嵌合フランジ２１に形成した縦波２１ａの形状を略同じにしたものであり、図３の（ｂ）は蓋体２０の嵌合フランジ２１に縦波を全く形成しない例を示している。また、図３の（ｃ）に示した例は、容器本体１０側の縦波１１ａと、蓋体２０側の縦波２１ａの形状を変えた場合を示している。
【００１６】
また、容器本体１０のフランジ１１は、これに形成した縦波１１ａ及び横波１１ｂによってボリューウムのある複雑形状になっているから、仮に薄い合成樹脂シートによって形成したものであっても、非常に剛性の高いものとなっているのである。このため、この容器本体１０のフランジ１１に蓋体２０の嵌合フランジ２１を外嵌合した場合には、蓋体２０は容器本体１０にしっかりと嵌合されることになるのである。
【００１７】
従って、この請求項１に係る包装用容器は、揚げ物や惣菜が発する熱や蒸気を確実に発散させるとともに、昆虫やゴミの浸入をも防ぎ、しかも容器本体１０に対する蓋体２０の嵌合もしっかりと行えるのである。
【００１８】
上記課題を解決するために、請求項２に係る発明の採った手段は、上記請求項１の包装用容器について、「容器本体１０側のフランジ１１に外嵌合される蓋体の嵌合フランジ２１に、容器本体１０側の縦波１１ａまたは横波１１ｂと略重なる縦波２１ａまたは横波のいずれか少なくとも一方を形成したこと」である。
【００１９】
すなわち、この請求項２に係る包装用容器では、蓋体２０の嵌合フランジ２１側にも縦波２１ａまたは横波のいずれか少なくとも一方を形成したのであり、後述する実施形態では、図５及び図６に示すように、縦波２１ａを形成したものである。
【００２０】
この縦波２１ａは、容器本体１０側の縦波１１ａまたは横波１１ｂと略重なるものであるため、上述した通気路２４をより一層複雑な形状とするものであり、昆虫やゴミの浸入をさらに困難にする他、蓋体２０側の嵌合フランジ２１の剛性を高める役目をも果たすものである。
【００２１】
従って、この請求項２に係る包装用容器は、上記請求項１と同様な機能を発揮する他、昆虫やゴミの浸入をさらに困難にし、蓋体２０側の嵌合フランジ２１の剛性を高めているのである。
【００２２】
また、上記課題を解決するために、請求項３に係る発明の採った手段は、上記請求項１または請求項２に記載の包装用容器について、「蓋体２０の内側であって、容器本体１０側の横波１１ｂの外端頂点となる部分に、突起２２を形成したこと」である。
【００２３】
すなわち、この包装用容器は、図５及び図６の各（ｂ）に示すように、蓋体２０の内側であって、容器本体１０側の横波１１ｂの外端頂点となる部分に、突起２２を形成したものであり、この突起２２が存在することによって、蓋体２０を容器本体１０に嵌合したとき、嵌合フランジ２１と容器本体１０側のフランジ１１との係合を確実にし、両者の一体化を確実にするのである。
【００２４】
実施形態の突起２２は、フランジ１１より少し下側になる位置に形成してあり、蓋体２０を容器本体１０から多少浮き上がらせることができるようにしてある。つまり、揚げ物や惣菜等を容器本体１０内に山盛りとなるように詰めても蓋体２０を閉じることができるのであり、閉じてから包装用容器全体を振ることにより、各突起２２による嵌合状態を維持しながら、容器本体１０内の惣菜の「均し」が行えるのである。
【００２５】
この場合、容器本体１０に対する蓋体２０の嵌合を、コーナー部またはここにある横波１１ｂの先端で行うようにすると、嵌合後においても蓋体２０が容器本体１０に対して多少上下動可能となる。このため、当該包装用容器を店頭の陳列棚上に２〜３段、段積みした場合に、上からの重みによって押されて下側の蓋体２０が沈み込むのであり、例えば容器本体１０側の縦波１１ａと蓋体２０側の縦波２１ａとが接触し合って、昆虫等の内部への浸入がより一層阻止されることになる。
【００２６】
勿論、蓋体２０は、そのコーナー部にて容器本体１０側に外嵌合されるものであるから、この蓋体２０のコーナー部に、容器本体１０と嵌合可能な突起を内側に向けて膨出形成してある。そして、このコーナー部の突起の上側には、容器本体１０のコーナー部を収納可能にする空間が形成してある。この空間の存在によっても、蓋体２０が容器本体１０に対して上下動し得るものとなっているのである。
【００２７】
従って、この請求項３の包装用容器は、上記請求項１または２のそれと同様な機能を発揮する他、容器本体１０と蓋体２０の嵌合状態を維持しながら、食品の均しが行えるものとなっているのである。
【００２８】
そして、請求項４に係る発明の採った手段は、上記請求項１〜請求項３のいずれかに記載の包装用容器について、「包装用容器の平面視全体を略四角形状にするとともに、容器本体１０側のフランジ１１のいずれか少なくとも１つについて、その中央部を外側に膨出させたこと」である。
【００２９】
すなわち、この請求項４の包装用容器は、図１に示すように、その平面視全体を略四角形状にするとともに、容器本体１０側のフランジ１１のいずれか少なくとも１つについて、その中央部を、図１中に点線で示した直線に対して外側に膨出させてあるのである。
【００３０】
これにより、フランジ１１の中央部における嵌合フランジ２１との係合が確実になされるのであり、容器本体１０や蓋体２０に成形後のバラツキが生じたとしていても、蓋体２０は容器本体１０に対してしっかりと嵌合できるものとなっているのである。
【００３１】
従って、この請求項４の包装用容器は、上記請求項１〜３のいずれかのそれと同様な機能を発揮する他、容器本体１０と蓋体２０の嵌合状態を十分維持するものとなっているのである。
【００３２】
【発明の実施の形態】
次に、上記のように構成した各請求項に係る発明を、図面に示した実施の形態である包装用容器について説明するが、この実施形態の包装用容器は、上記各請求項の発明の全てを含むものである。
【００３３】
図１には、ともに合成樹脂シートによって一体成形した容器本体１０に蓋体２０を嵌合した状態の平面図が示してあるが、この実施形態では、蓋体２０を透明な材料によって形成したため、下側の容器本体１０全体も現れている。
【００３４】
容器本体１０は、図２及び図３に示したように、その外周に略四角形状のフランジ１１を有していて、このフランジ１１には、まず図２に示したように、当該容器本体１０の内部に対して出入する横波１１ｂが形成してある。本実施形態では、これらの横波１１ｂの「谷」は、コーナー部の外形線より内側になるようにしてある。一方、このフランジ１１には、図３に示したように、当該容器本体１０のフランジ１１に対して上下する縦波１１ａが形成してある。
【００３５】
特に、本実施形態の包装用容器においては、容器本体１０の外周に横波１１ｂが形成してあるが、この横波１１ｂによって外周縁が直線の場合より長くなって開口率が高くなり、蒸気や外気の流通を十分に行うことができるのである。
【００３６】
なお、本実施形態の容器本体１０には、図３に示したように、そのコーナー部の下側に脚部１２が形成してあり、これらの脚部１２によって当該容器本体１０の下側に、例えば冷気の通気をよくするための空間を形成するようにしてある。
【００３７】
蓋体２０は、図４等に示したように、上述した容器本体１０のフランジ１１に外嵌合されるべき嵌合フランジ２１を有しているものであり、本実施形態では、この嵌合フランジ２１に、容器本体１０側の縦波１１ａに略重なる縦波２１ａが形成してある。勿論、この嵌合フランジ２１の立ち上がり部分に、容器本体１０側の横波１１ｂに略重なる横波を形成して実施してもよいものである。また、これらの縦波２１ａまたは横波は、容器本体１０側のそれと「ピッチ」を異にして実施しもよく、その場合には、上述した通気路２４を非常に複雑化することができる。
【００３８】
この通気路２４の複雑化については、図３の（ａ）〜（ｃ）に示したように、縦波１１ａに対する蓋体２０の嵌合フランジ２１、あるいはこれに形成される縦波２１ａの形状を変えることにより種々変形させることができる。図３の（ａ）に示した例は、容器本体１０のフランジ１１に形成した縦波１１ａと、蓋体２０の嵌合フランジ２１に形成した縦波２１ａの形状を略同じにしたものであり、図３の（ｂ）は蓋体２０の嵌合フランジ２１に縦波を全く形成しない例を示している。
【００３９】
また、図３の（ｃ）に示した例は、容器本体１０側の縦波１１ａと、蓋体２０側の縦波２１ａの形状を変えた場合を示している。これにより、図３の（ａ）に示したのとは異なって、当該包装用容器の縁部に、さらに「狭い所」と「広い所」を複雑に形成することができるから、通気路２４のより複雑化を、簡単な手段によって達成できるのである。
【００４０】
以上の容器本体１０側の縦波１１ａや横波１１ｂ、あるいは蓋体２０側の縦波２１ａや横波は、図示したような均等形状のものに限られるものではなく、例えば、不均一な波形や台形形状であってもよい。また、これらの波は、容器本体１０側であっても蓋体２０側であっても、部分的に形成したものであってもよいものである。勿論、本発明は、平面的にみた全体形状が円形や楕円等の四角形状以外の包装用容器についても適用できることは言うまでもない。
【００４１】
なお、本実施形態の蓋体２０においては、図４にも示したように、その天板部２０ａに多数の通気孔２３が形成してあり、これらの通気孔２３を通して食品から出る蒸気の排出をより効果的に行えるようにしてある。
【００４２】
【発明の効果】
以上、詳述した通り、本発明においては、上記実施形態にて例示した如く、「容器本体１０と、この容器本体１０のフランジ１１に外嵌合される蓋体２０とからなる包装用容器であって、
フランジ１１自体に上下方向にうねる縦波１１ａを形成するとともに、フランジ１１の外端面に内外方向にうねる横波１１ｂを形成し、
かつ、蓋体２０の外端縁を直線状にしたこと」にその主たる構成上の特徴があり、これにより、揚げ物や惣菜が発する熱や蒸気を確実に発散させることができるとともに、昆虫やゴミの浸入をも防ぐことができ、しかも容器本体１０に対する蓋体２０の嵌合もしっかりと行うことのできる包装用容器を提供することができるのである。
【図面の簡単な説明】
【図１】本発明に係る包装用容器の平面図である。
【図２】同包装用容器を構成している容器本体の平面図である。
【図３】同蓋体側の嵌合フランジに形成してある縦波を（ａ）〜（ｃ）の順に変形させた場合を併記した容器本体の正面図である。
【図４】同包装用容器を構成している蓋体の平面図である。
【図５】図１中の１−１線に沿ってみたものであり、（ａ）は包装用容器の部分断面図、（ｂ）は（ａ）の要部拡大断面図である。
【図６】図１中の２−２線に沿ってみたものであり、（ａ）は包装用容器の部分断面図、（ｂ）は（ａ）の要部拡大断面図である。
【図７】従来の技術を示す断面図である。
【符号の説明】
１０    容器本体
１１    フランジ
１１ａ  縦波
１１ｂ  横波
１２    脚部
２０    蓋体
２０ａ  天板部
２１    嵌合フランジ
２１ａ  縦波
２２    突起
２３    通気孔
２４    通気路
【図１】
2005041520.tif 000003
【図２】
2005041520.tif 000004
【図３】
2005041520.tif 000005
【図４】
2005041520.tif 000006
【図５】
2005041520.tif 000007
【図６】
2005041520.tif 000008
【図７】
2005041520.tif 000009